(57)【特許請求の範囲】
【請求項１】
携帯機器を構成する第１筐体及び第２筐体のいずれか一方の筐体に取り付けられるベース部材と、このベース部材に対しスライド機構を介してスライド可能に係合され、前記第１筐体及び前記第２筐体のいずれか他方の筐体に取り付けられるスライダー部材と、このスライダー部材と前記ベース部材との間に設けられ、前記ベース部材に対して前記スライダー部材を所定の開閉位置から閉成方向又は開成方向にスライド付勢するリンク機構とを備えた携帯機器の開閉装置であって、
前記スライド機構を、前記ベース部材又は前記スライダー部材のいずれか一方の両側部に設けた断面略Ｕ字形状を呈した係合部に取り付けられた溝付きの複数の回転ローラと、前記ベース部材又は前記スライダー部材のいずれか他方の両側部に設けられたレール部とで構成すると共に、
前記リンク機構を、その各一端部側を前記ベース部材に回動可能に取り付けられた２つの第１リンク部材と、この第１リンク部材の各他端部側にそれぞれの一端部側を互いに回動可能に取り付けられると共に他端部側を前記スライダー部材に回動可能に取り付けられた２つの第２リンク部材と、前記２つの第１リンク部材にそれぞれ回動可能に設けられた第１スプリング取付部材と、前記２つの第２リンク部材にそれぞれ回動可能に設けられた第２スプリング取付部材と、前記２つの第１スプリング取付部材に両端部がそれぞれ取り付けられ、前記２つの第１リンク部材を互いに近づく方向に付勢する複数並列された第１付勢部材と、前記２つの第２スプリング取付部材に両端部がそれぞれ取り付けられ、前記２つの第２リンク部材を互いに近づく方向に付勢する複数並列された第２付勢部材とで構成したことを特徴とする、携帯機器の開閉装置。
【請求項２】
前記スライド機構は、前記ベース部材又は前記スライダー部材のいずれか一方の両側部に設けた断面略Ｕ字形状を呈した係合部に取り付けられた溝付きの複数の回転ローラと、前記ベース部材又はスライダー部材のいずれか他方の両側部に設けられたレール部と、前記係合部の前記回転ローラの間に設けられたスペーサと、で構成されていることを特徴とする、請求項１に記載の携帯機器の開閉装置。
【請求項３】
前記第１付勢部材及び前記第２付勢部材は、引張りコイルスプリングであることを特徴とする、請求項１乃至２のいずれか１項に記載の携帯機器の開閉装置。
【請求項４】
前記第１スプリング取付部材及び前記第２スプリング取付部材には、前記第１付勢部材及び前記第２付勢部材をそれぞれ個別に着脱可能に取り付ける鉤状のスプリング取付部が設けられていることを特徴とする、請求項１乃至３のいずれか１項に記載の携帯機器の開閉装置。
【請求項５】
前記第１スプリング取付部材及び前記第２スプリング取付部材には、前記第１リンク部材及び前記第２リンク部材に回動可能に支持される回動支持部が設けられ、この回動支持部には、拡径された抜け止め部が設けられ、前記第１リンク部材及び前記第２リンク部材には、前記回動支持部が回動可能に係合する回動係合部が設けられ、この回動係合部には、前記抜け止め部より大きな径の挿入部が設けられ、この挿入部から前記抜け止め部を挿入して前記回動支持部を前記回動係合部に移動させることによって、前記第１リンク部材及び前記第２リンク部材に前記第１スプリング取付部材及び前記第２スプリング取付部材が回動可能に取り付けられることを特徴とする、請求項１〜４のいずれか１項に記載の携帯機器の開閉装置。
【請求項６】
前記２つの第１リンク部材は、第１回動支持シャフトによって互いに回動可能に連結され、この第１回動支持シャフトには、拡径された抜け止め部が設けられ、前記ベース部材には、前記第１回動支持シャフトが回動可能に係合する第１係合部が設けられ、この第１係合部には、前記抜け止め部より大きな径の挿入部が設けられ、この挿入部から前記抜け止め部を挿入して前記第１回動支持シャフトを前記第１係合部に移動させることによって、前記ベース部材に前記第１リンク部材が回動可能に取り付けられ、
前記２つの第２リンク部材は、第２回動支持シャフトによって互いに回動可能に連結され、この第２回動支持シャフトには、拡径された抜け止め部が設けられ、前記スライダー部材には、前記第２回動支持シャフトが回動可能に係合する第２係合部が設けられ、この第２係合部には、前記抜け止め部より大きな径の挿入部が設けられ、この挿入部から前記抜け止め部を挿入して前記第２回動支持シャフトを前記第２係合部に移動させることによって、前記スライダー部材に前記第２リンク部材が回動可能に取り付けられることを特徴とする、請求項１〜５のいずれか１項に記載の携帯機器の開閉装置。
【請求項７】
前記請求項１〜６のいずれか１項に記載の携帯機器の開閉装置を備えたことを特徴とする、携帯機器。
【発明の詳細な説明】
【技術分野】
【０００１】
本発明は、携帯機器を構成する第１筐体と第２筐体とを互いに重ね合わせた状態で相対的に直線方向に開閉可能にスライドさせる際に用いられて好適な携帯機器の開閉装置並びにこの開閉装置を備えた携帯機器に関するものである。
【背景技術】
【０００２】
携帯機器である携帯電話機等において、キーボード等を上面に設けた第１筐体と、ディスプレイ等を上面に設けた第２筐体とを有し、これらの第１筐体と第２筐体とが完全に重なり合って第２筐体で第１筐体の上面を覆う閉成状態と、第２筐体を第１筐体に対して長手方向へスライドさせて第１筐体の上面を露出させる開成状態とを作り出す、スライド機構付きのものが市場に出回っている。このような携帯機器としては、下記する特許文献１に記載されたものが公知である。
【０００３】
特許文献１に記載されている携帯機器は、半自動でスライド操作を行えるセミオート機能を有する開閉装置を備えている。この開閉装置は、第１筐体の上面に取り付けられるベース部材と、このベース部材にスライド可能に係合されたスライダー部材と、ベース部材とスライダー部材との間に設けられ、一端部がベース部材に連結されると共に他端部がスライダー部材に連結され、かつ、４つのリンク部材が互いに回動可能にひし形に連結されてなるリンク機構と、このリンク機構に設けられ、スライダー部材をベース部材に対して所定の位置から閉成方向又は開成方向へスライド付勢させる引張りコイルスプリングとで構成されており、スライダー部材がベース部材に対して所定の位置から閉成方向又は開成方向へスライド付勢されるので、第１筐体と第２筐体とが所定の位置から自動的にすなわちセミオートで開閉できるものである。
【特許文献１】特表２００７−５０３７５２号公報（特に段落０１８０〜０２００、図２６〜図２９）
【発明の開示】
【発明が解決しようとする課題】
【０００４】
この特許文献１に記載された開閉装置は、スライド機構の動作がスムーズに行かないきらいがある。また、ベース部材とスライダー部材との間にリンク機構を設け、このリンク機構に設けられた引張りコイルスプリングによって、第１筐体と第２筐体とを所定の位置から自動的に開閉できるように構成してあるが、引張りコイルスプリングがリンク機構のリンク部材に直接取り付けられているので、この面からもリンク部材に対して引張りコイルスプリングが回転し難くベース部材に対するスライダー部材のスライドをスムーズに行えないという問題があった。また、２つのリンク部材を１つの引張りコイルスプリングで互いに近づく方向に付勢して第１筐体と第２筐体とを所定の位置から自動的に開閉するためには、引張りコイルスプリングの径を大きくしなければその開閉を行い得る弾力を持たすことができないので、開閉装置の厚さが厚くなって、大型化するという問題もあった。
【０００５】
本発明は、前記課題を解決するためになされたものであって、その目的は、ベース部材に対するスライダー部材のスライドをスムーズに行える上に小型化を図れる携帯機器の開閉装置並びにこの開閉装置を備えた携帯機器を提供することにある。
【課題を解決するための手段】
【０００６】
前記の目的を達成するための本発明に係る携帯機器の開閉装置は、携帯機器を構成する第１筐体及び第２筐体のいずれか一方の筐体に取り付けられるベース部材と、このベース部材に対しスライド機構を介してスライド可能に係合され、前記第１筐体及び前記第２筐体のいずれか他方の筐体に取り付けられるスライダー部材と、このスライダー部材と前記ベース部材との間に設けられ、前記ベース部材に対して前記スライダー部材を所定の開閉位置から閉成方向又は開成方向にスライド付勢するリンク機構とを備えた携帯機器の開閉装置であって、
前記スライド機構を、前記ベース部材又は前記スライダー部材のいずれか一方の両側部に設けた断面略Ｕ字形状を呈した係合部に取り付けられた溝付きの複数の回転ローラと、前記ベース部材又は前記スライダー部材のいずれか他方の両側部に設けられたレール部とで構成すると共に、
前記リンク機構を、その各一端部側を前記ベース部材に回動可能に取り付けられた２つの第１リンク部材と、この第１リンク部材の各他端部側にそれぞれの一端部側を互いに回動可能に取り付けられると共に他端部側を前記スライダー部材に回動可能に取り付けられた２つの第２リンク部材と、前記２つの第１リンク部材にそれぞれ回動可能に設けられた第１スプリング取付部材と、前記２つの第２リンク部材にそれぞれ回動可能に設けられた第２スプリング取付部材と、前記２つの第１スプリング取付部材に両端部がそれぞれ取り付けられ、前記２つの第１リンク部材を互いに近づく方向に付勢する複数並列された第１付勢部材と、前記２つの第２スプリング取付部材に両端部がそれぞれ取り付けられ、前記２つの第２リンク部材を互いに近づく方向に付勢する複数並列された第２付勢部材とで構成したことを特徴とする。
【０００７】
この発明によれば、リンク機構が、ベース部材に回動可能に取り付けられる２つの第１リンク部材と、この第１リンク部材にそれぞれ互いに回動可能に取り付けられると共にスライダー部材に回動可能に取り付けられる２つの第２リンク部材と、２つの第１リンク部材にそれぞれ回動可能に設けられた第１スプリング取付部材と、２つの第２リンク部材にそれぞれ回動可能に設けられた第２スプリング取付部材と、２つの第１スプリング取付部材に両端部がそれぞれ取り付けられ、２つの第１リンク部材を互いに近づく方向に付勢する複数並列された第１付勢部材と、２つの第２スプリング取付部材に両端部がそれぞれ取り付けられ、２つの第２リンク部材を互いに近づく方向に付勢する複数並列された第２付勢部材とで構成されたことで、第１リンク部材及び第２リンク部材には、第１付勢部材及び第２付勢部材が第１スプリング取付部材及び第２スプリング取付部材を介して回動可能に設けられているために、ベース部材に対してスライダー部材がスライドしたときに、第１リンク部材及び第２リンク部材に対して第１スプリング取付部材及び第２スプリング取付部材が容易に回転するので、ベース部材に対するスライダー部材のスライドをスムーズに行える。また、第１付勢部材及び第２付勢部材は、それぞれ複数並列されているために、１つの付勢部材と同じ付勢力を得る場合には、厚さを薄くすることができるので、開閉装置の厚さを薄くでき、小型化を図れる。
【０００８】
本発明に係る携帯機器の開閉装置において、スライド機構は、ベース部材又はスライダー部材のいずれか一方の両側部に設けた断面略Ｕ字形状を呈した係合部に取り付けられた溝付きの複数の回転ローラと、ベース部材又はスライダー部材のいずれか他方の両側部に設けられたレール部と、係合部の回転ローラの間に設けられたスペーサとで構成されている。
さらに、本願発明に係る携帯機器の開閉装置において、前記第１付勢部材及び前記第２付勢部材は、引張りコイルスプリングであることが好ましい。また、本発明に係る携帯機器の開閉装置において、前記第１スプリング取付部材及び前記第２スプリング取付部材には、前記第１付勢部材及び前記第２付勢部材をそれぞれ個別に着脱可能に取り付ける鉤状のスプリング取付部が設けられていることが好ましい。また、本発明に係る携帯機器の開閉装置において、前記第１スプリング取付部材及び前記第２スプリング取付部材には、前記第１リンク部材及び前記第２リンク部材に回動可能に支持される回動支持部が設けられ、この回動支持部には、拡径された抜け止め部が設けられ、前記第１リンク部材及び前記第２リンク部材には、前記回動支持部が回動可能に係合する回動係合部が設けられ、この回動係合部には、前記抜け止め部より大きな径の挿入部が設けられ、この挿入部から前記抜け止め部を挿入して前記回動支持部を前記回動係合部に移動させることによって、前記第１リンク部材及び前記第２リンク部材に前記第１スプリング取付部材及び前記第２スプリング取付部材が回動可能に取り付けられることが好ましい。
【０００９】
また、本発明に係る携帯機器の開閉装置において、前記２つの第１リンク部材は、第１回動支持シャフトによって互いに回動可能に連結され、この第１回動支持シャフトには、拡径された抜け止め部が設けられ、前記ベース部材には、前記第１回動支持シャフトが回動可能に係合する第１係合部が設けられ、この第１係合部には、前記抜け止め部より大きな径の挿入部が設けられ、この挿入部から前記抜け止め部を挿入して前記第１回動支持シャフトを前記第１係合部に移動させることによって、前記ベース部材に前記第１リンク部材が回動可能に取り付けられ、前記２つの第２リンク部材は、第２回動支持シャフトによって互いに回動可能に連結され、この第２回動支持シャフトには、拡径された抜け止め部が設けられ、前記スライダー部材には、前記第２回動支持シャフトが回動可能に係合する第２係合部が設けられ、この第２係合部には、前記抜け止め部より大きな径の挿入部が設けられ、この挿入部から前記抜け止め部を挿入して前記第２回動支持シャフトを前記第２係合部に移動させることによって、前記スライダー部材に前記第２リンク部材が回動可能に取り付けられることが好ましい。
【００１０】
また、本発明に係る携帯機器は、前記の本発明に係る携帯機器の開閉装置を備えたことを特徴とする。この発明によれば、前述と同様に、リンク機構が、ベース部材に回動可能に取り付けられる２つの第１リンク部材と、この第１リンク部材にそれぞれ互いに回動可能に取り付けられると共にスライダー部材に回動可能に取り付けられる２つの第２リンク部材と、２つの第１リンク部材にそれぞれ回動可能に設けられた第１スプリング取付部材及び２つの第２リンク部材にそれぞれ回動可能に設けられた第２スプリング取付部材と、２つの第１スプリング取付部材に両端部がそれぞれ取り付けられ、２つの第１リンク部材を互いに近づく方向に付勢する複数並列された第１付勢部材及び２つの第２スプリング取付部材に両端部がそれぞれ取り付けられ、２つの第２リンク部材を互いに近づく方向に付勢する複数並列された第２付勢部材とで構成されたことで、ベース部材に対するスライダー部材のスライドをスムーズに行える上に小型化を図れる。
【発明の効果】
【００１１】
以上説明したように本発明に係る携帯機器の開閉装置並びに携帯機器によればスライド機構を上述したように構成し、さらにリンク機構を、ベース部材に回動可能に取り付けられる２つの第１リンク部材と、この第１リンク部材にそれぞれ互いに回動可能に取り付けられると共にスライダー部材に回動可能に取り付けられる２つの第２リンク部材と、２つの第１リンク部材にそれぞれ回動可能に設けられた第１スプリング取付部材と、２つの第２リンク部材にそれぞれ回動可能に設けられた第２スプリング取付部材と、２つの第１スプリング取付部材に両端部がそれぞれ取り付けられ、２つの第１リンク部材を互いに近づく方向に付勢する複数並列された第１付勢部材と、２つの第２スプリング取付部材に両端部がそれぞれ取り付けられ、２つの第２リンク部材を互いに近づく方向に付勢する複数並列された第２付勢部材とで構成したことで、ベース部材に対するスライダー部材のスライドをスムーズに行える上に小型化を図ることができる。
【発明を実施するための最良の形態】
【００１２】
以下、本発明に係る携帯機器の開閉装置及び携帯機器の一例を添付図面に基づいて詳述する。
【００１３】
図１は本発明に係る携帯機器の一例を示す図である。図２〜図４は本発明に係る携帯機器の開閉装置の一例を示す図である。本発明に係る携帯機器の開閉装置は、図１及び図２に示すように、携帯機器１０を構成する第１筐体１１と第２筐体１２とを互いに重ね合わせた状態で相対的に直線方向へスライドさせて閉成状態と開成状態とを形成するもので、第１筐体１１及び第２筐体１２のいずれか一方の筐体、例えば、第１筐体１１に取り付けられるベース部材２と、このベース部材２に対しスライド可能に係合され、第１筐体１１及び第２筐体１２のいずれか他方の筐体、例えば、第２筐体１２に取り付けられるスライダー部材３と、このスライダー部材３とベース部材２との間に設けられ、これらスライダー部材３とベース部材２とを連結すると共にベース部材２に対してスライダー部材３を所定の開閉位置から閉成方向又は開成方向にスライド付勢するリンク機構４とを備えて、第１筐体１１と第２筐体１２とを互いに重ね合わせた状態で相対的に直線方向へスライドさせて閉成状態と開成状態とをセミオート式に構成するものである。
【００１４】
携帯機器１０としては、特に限定されず、例えば、携帯電話機、ＰＤＡ、ノート型のパソコン、ザウルス（商標）等の携帯端末機、電卓、ポケットコンピュータ、携帯ゲーム機等が挙げられ、携帯電話機等であることが好ましい。なお、本発明において携帯機器としては、その他、灰皿、ケース蓋等も含まれる。すなわち、２つの筐体を互いにスライドさせるものであれば良い。したがって、以下に携帯機器の一例として携帯電話機に実施した場合について説明するが、このものに限定されない。
【００１５】
第１筐体１１は、例えば、キーボード部等の操作部１３を上面に設けてある。第２筐体１２は、例えば、ＬＣＤなどのディスプレイ部１４等を上面に設けてある。第１筐体１１及び第２筐体１２は、平面略矩形状にそれぞれ形成されている。なお、第１筐体１１及び第２筐体１２は、図２において想像線で記載してある。これらの第１筐体１１と第２筐体１２とが互いに重ね合わされた閉成状態で開閉装置１を介して連結されて携帯機器１０が構成されている。すなわち、この携帯機器１０は、第１筐体１１の上面に第２筐体１２の下面が互いに重ね合わされて操作部１３を閉塞すると共に、第１筐体１１の上面から第２筐体１２がスライド移動して操作部１３を露出させることができるようになっている。
【００１６】
ベース部材２は、第１筐体１１の上面の長手方向の一側部に例えばビス等により取り付けられる。ベース部材２は、図２〜図４及び図１０に示すように、例えば、第１筐体１１の長手方向に伸びる幅の狭い平面略矩形平板状に形成されている基板部２１と、この基板部２１の両側部に設けられた断面略Ｕ字形状を呈した係合部２２とからなる。係合部２２は、別部材を取り付けて形成してもよいし、基板部２１の両側部を断面略コの字状に折り曲げて基板部２１と一体的に形成してもよい。ベース部材２は、例えばステンレス製の金属プレートをプレス加工することにより形成される。
【００１７】
基板部２１は、第１筐体１１の長手方向の幅より小さな寸法で形成されている。基板部２１の前後方向（短手方向）の略中央部であって一方の側部近傍には、第１回動支持シャフト５１を回動可能に取り付けるための第１係合部としての第１係合孔２３が設けられている。この第１係合孔２３は、ベース部材２（第１筐体１１）の幅方向の中央部側に延び、この延出端部が第１係合孔２３より径が大きな円形状の挿入部２４として形成されている。すなわち、第１係合孔２３及び挿入部２４は、略楕円状の一端部（中央部側の端部）を拡径した形状に形成されている。この第１係合孔２３及び挿入部２４を含むこれら近傍の略楕円状の部分２１ａがスライダー部材３側に突出している。基板部２１の前端部及び後端部の略中央部には、略三角形状に切り欠かれたスライド範囲規制部２８ａ、２８ｂがそれぞれ設けられている。また、基板部２１には、ベース部材２を例えばビス等により第１筐体１１に取り付けるための貫通孔２９が例えば４つ設けられている。
【００１８】
また、係合部２２には、スライダー部材３とのスライドが円滑に行われるように、スライド円滑部材が設けられている。スライド円滑部材としては、摩擦係数が小さい樹脂等の断面略Ｕ字形状を呈した滑り促進部材等であってもよいし、例えば、図９に示すように、係合部２２に取り付けられた回動支持ピン２５に回動可能に設けられている溝２６ａ付きの回転ローラ２６でもよい。この回転ローラ２６は、例えば、３つ係合部２２に設けられているが、回転ローラ２６の個数は３つに限定されず、３つ以外の個数でもよい。また、３つの回転ローラ２６の間の２箇所には、係合部２２のコの字状の間隔を保持するスペーサ２７がスペーサ支持ピン２７ａを介してそれぞれ設けられている。図１０中、符号２２ａは回動支持ピン２５を取り付けるための取付孔を示し、符号２２ｂはスペーサ支持ピン２７ａを取り付けるための取付孔を示す。
【００１９】
スライダー部材３は、第２筐体１２の下面であってその上方近傍から下方近傍にかけて例えばビス等により取り付けられる。スライダー部材３は、図２〜図４及び図１１に示すように、例えば、第２筐体１２の下面を覆う略矩形状に形成されている。スライダー部材３の長手方向の略中央部であって他方の側部近傍には、第２回動支持シャフト６１を回動可能に取り付けるための第２係合部としての第２係合孔３３が設けられている。この第２係合孔３３は、スライダー部材３の幅方向の中央部側に延び、この延出端部が第２係合孔３３より径が大きな円形状の挿入部３４として形成されている。すなわち、第２係合孔３３及び挿入部３４は、略楕円状の一端部（中央部側の端部）を拡径した形状に形成されている。この第２係合孔３３及び挿入部３４を含むこれら近傍の略楕円状の部分３ａがベース部材２側に突出している。スライダー部材３の前端部及び後端部の略中央部には、ベース部材２のスライド範囲規制部２８ａ、２８ｂに当接してベース部材２に対するスライダー部材３のスライド範囲を規制するスライド範囲規制突部３８ａ、３８ｂを取り付けるための取付孔３ｃが設けられている。また、スライダー部材３には、スライダー部材３を例えばビス等により第２筐体１２に取り付けるための貫通孔３９が例えば８つ設けられている。
【００２０】
スライダー部材３の両側部は、ベース部材２の係合部２２（実質的には回転ローラ２６）にスライド係合するレール部３２として形成されている。レール部３２は、特にその形状は限定されないが、例えば、スライダー部材３の両側部を略クランク状に折り曲げて形成してもよい。スライダー部材３は、例えばステンレス製の金属プレートをプレス加工することにより形成される。
【００２１】
スライダー部材３のレール部３２がベース部材２の係合部２２とそれぞれスライド係合して、ベース部材２及びスライダー部材３（第１筐体１１及び第２筐体１２）が互いに第１筐体１１又は第２筐体１２の上下方向の直線上にスライドするようになっており、レール部３２と係合部２２とでスライド機構Ａを構成している。尚、レール部３２と係合部２２は、上記とは逆にベース部材２とスライダー部材３の側に設けられてもよい。これらベース部材２とスライダー部材３とがスライド係合することにより、ベース部材２とスライダー部材３とが略細長の矩形筒状に形成される。
【００２２】
レール部３２が係合部２２（回転ローラ２６）に係合されている状態、すなわち、ベース部材２及びスライダー部材３がスライド係合している状態で、スライド範囲規制突部３８ａがスライド範囲規制部２８ａに当接する閉成状態（図１（ａ）及び図２（ａ）参照。）からスライド範囲規制突部３８ｂがスライド範囲規制部２８ｂに当接する開成状態（図１（ｃ）及び図２（ｃ）参照。）までの間でスライド移動するようになっており、この閉成状態と開成状態との間の中間の状態が中立状態である（図１（ｂ）及び図２（ｂ）参照。）。なお、ベース部材２を第１筐体１１に取り付け、スライダー部材３を第２筐体１２に取り付けたが、ベース部材２を第２筐体１２に取り付け、スライダー部材３を第１筐体１１に取り付けるようにしてもよい。また、スライド範囲を規制する手段として、スライド範囲規制部２８ａ、２８ｂ及びスライド範囲規制突部３８ａ、３８ｂを用いたが、これに限定されず、他の手段でスライド範囲を規制するようにしてもよい。
【００２３】
リンク機構４は、図２〜図４に示すように、ベース部材２とスライダー部材３との間に設けられ、ベース部材２とスライダー部材３とを連結すると共に、ベース部材２に対してスライダー部材３を所定の開閉位置から閉成方向又は開成方向にスライド付勢するものである。リンク機構４としては、ベース部材２に回動可能に取り付けられる２つの第１リンク部材４１ａ、４１ｂと、この第１リンク部材４１ａ、４１ｂにそれぞれ互いに回動可能に取り付けられると共にスライダー部材３に回動可能に取り付けられる２つの第２リンク部材４２ａ、４２ｂと、２つの第１リンク部材４１ａ、４１ｂにそれぞれ回動可能に設けられた第１スプリング取付部材４３及び２つの第２リンク部材４２ａ、４２ｂにそれぞれ回動可能に設けられた第２スプリング取付部材４４と、２つの第１スプリング取付部材４３に両端部がそれぞれ取り付けられ、２つの第１リンク部材４１ａ、４１ｂを互いに近づく方向に付勢する複数並列された第１付勢部材４５及び２つの第２スプリング取付部材４４に両端部がそれぞれ取り付けられ、２つの第２リンク部材４２ａ、４２ｂを互いに近づく方向に付勢する複数並列された第２付勢部材４６とで構成されている。
【００２４】
２つの第１リンク部材４１ａ、４１ｂは、図１２に示すように、例えば、細長の平板状に形成されている。この２つの第１リンク部材４１ａ、４１ｂの一端部近傍には、２つの第１リンク部材４１ａ、４１ｂを互いに回動可能に支持する第１回動支持シャフト５１が取り付けられる円形の第１回動支持孔４１ｃ、４１ｄがそれぞれ設けられている。これら２つの第１回動支持孔４１ｃ、４１ｄの直径は異なり、一方が他方より大きな直径に形成されている。
【００２５】
第１回動支持シャフト５１は、図１３に示すように、直径が一番大きな大径部５２が軸方向の略中央部に形成された略円柱状に形成されている。第１回動支持シャフト５１の大径部５２より一方の端部側には、大径部５２より直径が小さな第１支持部５３と、この第１支持部５３より直径が小さな第２支持部５４とが設けられている。第１支持部５３の直径は、例えば、直径が大きな第１回動支持孔４１ｃ（第１Ａ回動支持孔４１ｃということがある。）の直径より若干小さな直径で形成されている。第１支持部５３の軸方向の長さは、第１Ａ回動支持孔４１ｃを有する第１リンク部材４１ａの厚さより厚い寸法で形成されている。第２支持部５４の直径は、例えば、直径が小さな第１回動支持孔４１ｄ（第１Ｂ回動支持孔４１ｄということがある。）の直径より略同じか若干小さな直径で形成されている。これにより、第１回動支持シャフト５１の第１支持部５３を一方の第１リンク部材４１ａの第１Ａ回動支持孔４１ｃに挿入した後、この第２支持部５４を他方の第１リンク部材４１ｂの第１Ｂ回動支持孔４１ｄに挿入し、この第２支持部５４の先端部をかしめることにより、２つの第１リンク部材４１ａ、４１ｂは第１回動支持シャフト５１を介して互いに回動可能に連結される。
【００２６】
また、第１回動支持シャフト５１の大径部５２より他方の端部側には、ベース部材２の第１係合孔２３より若干直径が小さな装着部５５が設けられている。装着部５５の軸方向の長さは、ベース部材２の厚さより厚い寸法で形成されている。装着部５５の端部には、挿入部２４より直径が小さくかつ第１係合孔２３より直径が大きな直径の円板状の抜け止め部５６が設けられている。これにより、抜け止め部５６を挿入部２４に挿入して第１回動支持シャフト５１を第１係合孔２３へスライドすることにより、特に図４に示すように、第１回動支持シャフト５１をベース部材２の第１係合孔２３に容易に回動可能に取り付けることができる。すなわち、第１リンク部材４１ａ、４１ｂをベース部材２に容易に回動可能に取り付けることができる。
【００２７】
また、２つの第１リンク部材４１ａ、４１ｂの他端部近傍には、図１２に示すように、第３回動支持シャフト７１が挿入される連結孔４１ｅと第１スプリング取付部材４３が回動可能に取り付けられる回動係合部４１ｆがそれぞれ設けられている。連結孔４１ｅは、第１リンク部材４１ａ、４１ｂの他端部近傍に設けられていると共に、回動係合部４１ｆは、第１リンク部材４１ａ、４１ｂの他端部近傍より若干中央部側に設けられている。回動係合部４１ｆは、連結孔４１ｅより直径が小さく形成され、これら回動係合部４１ｆと連結孔４１ｅとが回動係合部４１ｆの直径の幅で連通されている。すなわち、連結孔４１ｅは、回動係合部４１ｆの挿入部としても機能している。
【００２８】
２つの第２リンク部材４２ａ、４２ｂは、例えば、第１リンク部材４１ａ、４１ｂと同じものが用いられ、細長の平板状に形成されている。この２つの第２リンク部材４２ａ、４２ｂの一端部近傍には、２つの第２リンク部材４２ａ、４２ｂを互いに回動可能に支持する第２回動支持シャフト６１が取り付けられる円形の第２回動支持孔４２ｃ、４２ｄがそれぞれ設けられている。これら２つの第２回動支持孔４２ｃ、４２ｄの直径は異なり、一方が他方より大きな直径に形成されている。
【００２９】
第２回動支持シャフト６１は、図１３に示すように、直径が一番大きな大径部６２が軸方向の略中央部に形成された略円柱状に形成されている。第２回動支持シャフト６１の大径部６２より一方の端部側には、大径部６２より直径が小さな第１支持部６３と、この第１支持部６３より直径が小さな第２支持部６４とが設けられている。第１支持部６３の直径は、例えば、直径が大きな第２回動支持孔４２ｃ（第２Ａ回動支持孔４２ｃということがある。）の直径より若干小さな直径で形成されている。第１支持部６３の軸方向の長さは、第２Ａ回動支持孔４２ｃを有する第２リンク部材４２ａ、４２ｂの厚さより長い寸法で形成されている。第２支持部６４の直径は、例えば、直径が小さな第２回動支持孔４２ｄ（第２Ｂ回動支持孔４２ｄということがある。）の直径より略同じか若干小さな直径で形成されている。これにより、第２回動支持シャフト６１の第１支持部６３を一方の第２リンク部材４２ａの第２Ａ回動支持孔４２ｃに挿入した後、この第２支持部６４を他方の第２リンク部材４２ｂの第２Ｂ回動支持孔４２ｄに挿入し、この第２支持部６４の先端部をかしめることにより、２つの第２リンク部材４２ａ、４２ｂは第２回動支持シャフト６１を介して互いに回動可能に連結される。
【００３０】
また、第２回動支持シャフト６１の大径部６２より他方の端部側には、スライダー部材３の第２係合孔３３より若干直径が小さな装着部６５が設けられている。装着部６５の軸方向の長さは、スライダー部材３の厚さより厚い寸法で形成されている。装着部６５の端部には、挿入部３４より直径が小さくかつ第２係合孔３３より直径が大きな直径の円板状の抜け止め部６６が設けられている。これにより、抜け止め部６６を挿入部３４に挿入して第２回動支持シャフト６１を第２係合孔３３へスライドすることにより、特に図５に示すように、第２回動支持シャフト６１をスライダー部材３の第２係合孔３３に回動可能に容易に取り付けることができる。すなわち、第２リンク部材４２ａ、４２ｂをスライダー部材３に容易に回動可能に取り付けることができる。
【００３１】
また、２つの第２リンク部材４２ａ、４２ｂの他端部近傍には、図１２に示すように、第３回動支持シャフト７１が挿入される連結孔４２ｅと第２スプリング取付部材４４が回動可能に取り付けられる回動係合部４２ｆがそれぞれ設けられている。連結孔４２ｅは、第２リンク部材４２ａ、４２ｂの他端部近傍に設けられていると共に、回動係合部４２ｆは、第２リンク部材４２ａ、４２ｂの他端部近傍より若干中央部側に設けられている。回動係合部４２ｆは、連結孔４２ｅより直径が小さく形成され、これら回動係合部４２ｆと連結孔４２ｅとが回動係合部４２ｆの直径の幅で連通されている。すなわち、連結孔４２ｅは、回動係合部４２ｆの挿入部としても機能している。
【００３２】
この第２リンク部材４２ａ、４２ｂの連結孔４２ｅと第１リンク部材４１ａ、４１ｂの連結孔４１ｅとが第３回動支持シャフト７１によって互いに回動可能に連結されている。第３回動支持シャフト７１は、例えば、連結孔４１ｅ、４２ｅの直径より若干小さな直径に形成されている。第３回動支持シャフト７１の軸方向の長さは、第１リンク部材４１ａ、４１ｂと第２リンク部材４２ａ、４２ｂとを重ね合わせたときの厚さより厚い寸法、例えば若干厚い寸法で形成されている。第３回動支持シャフト７１の一端部には、連結孔４１ｅ、４２ｅの直径より大きな直径の抜け止め部７１ａが設けられている。また、第３回動支持シャフト７１の他端部には、直径が小さい取付部７１ｂが設けられている。
【００３３】
この取付部７１ｂから第１リンク部材４１ａ、４１ｂの連結孔４１ｅと第２リンク部材４２ａ、４２ｂの連結孔４２ｅとに第３回動支持シャフト７１を挿入して、連結孔４１ｅ、４２ｅから突出した取付部７１ｂの外周にワッシャー７２を取り付けた後に、取付部７１ｂをかしめることにより、特に図６及び図７に示すように、第１リンク部材４１ａ、４１ｂと第２リンク部材４２ａ、４２ｂとが第３回動支持シャフト７１を介して互いに回動可能に連結されるようになっている。よって、２つの第１リンク部材４１ａ、４１ｂと２つの第２リンク部材４２ａ、４２ｂとの合計４つのリンク部材が連結されて略ひし形のリンク機構４が構成される。この４つのリンク部材（２つの第１リンク部材４１ａ、４１ｂ及び２つの第２リンク部材４２ａ、４２ｂ）は、対向する第１リンク部材４１ａ、４１ｂと第２リンク部材４２ａ、４２ｂとが略同一平面上に位置されるように互い違いに配置されていることが好ましい。このリンク機構４によってベース部材２とスライダー部材３とが連結されている。
【００３４】
第１スプリング取付部材４３及び第２スプリング取付部材４４は、異なるものでも同じものでもよく、例えば、同じもので、図６〜図８に示すように、平板状に形成されている。第１スプリング取付部材４３及び第２スプリング取付部材４４の一端部は、半円状に形成され、この一端部には、回動支持部が設けられている。回動支持部は、第１スプリング取付部材４３及び第２スプリング取付部材４４に一体的に設けてもよいが、例えば、別部材である第４回動支持シャフト４７を設けてもよい。第４回動支持シャフト４７を取り付ける場合には、第１スプリング取付部材４３及び第２スプリング取付部材４４の一端部には取付孔４３ａ、４４ａが設けられている。
【００３５】
第４回動支持シャフト４７は、図１５に示すように、連結孔４１ｅ、４２ｅより直径が大きな大径部４７ａを有し、この大径部４７ａの一方の端部には、第１スプリング取付部材４３及び第２スプリング取付部材４４の取付孔４３ａ、４４ａに挿入されて端部をかしめることで第４回動支持シャフト４７を第１スプリング取付部材４３及び第２スプリング取付部材４４に取り付けるための取付部４７ｂが設けられている。第４回動支持シャフト４７の大径部４７ａの他方の端部には、回動係合部４１ｆ、４２ｆより若干直径が小さな装着部４７ｃが設けられている。装着部４７ｃの軸方向の長さは、第１スプリング取付部材４３及び第２スプリング取付部材４４の厚さより厚い寸法で形成されている。装着部４７ｃの端部には、連結孔４１ｅ、４２ｅより直径が小さくかつ回動係合部４１ｆ、４２ｆより直径が大きな直径の円板状の抜け止め部４７ｄが設けられている。これにより、抜け止め部４７ｄを連結孔４１ｅ、４２ｅに挿入して第１スプリング取付部材４３及び第２スプリング取付部材４４を回動係合部４１ｆ、４２ｆへスライドすることにより、図６及び図７に示すように、第１スプリング取付部材４３及び第２スプリング取付部材４４を第１リンク部材４１ａ、４１ｂ及び第２リンク部材４２ａ、４２ｂに回動可能に容易に取り付けることができる。このとき、第１スプリング取付部材４３及び第２スプリング取付部材４４は、第１リンク部材４１ａ、４１ｂ及び第２リンク部材４２ａ、４２ｂがそれぞれ互いに重なり合う側の面側の第１リンク部材４１ａ、４１ｂ及び第２リンク部材４２ａ、４２ｂに取り付けられていることが好ましい。
【００３６】
第１スプリング取付部材４３及び第２スプリング取付部材４４の他端部には、図６〜図８に示すように、スプリング取付部４８が複数設けられている。スプリング取付部４８は、付勢手段である、例えば、第１付勢部材４５及び第２付勢部材４６を個別に着脱可能に取り付けるもので、例えば、第１スプリング取付部材４３及び第２スプリング取付部材４４の他端部に装着する第１付勢部材４５及び第２付勢部材４６の数、例えば３つそれぞれ設けられている。スプリング取付部４８の個数は、３つに限定されず、２つ又は４つ以上であってもよい。スプリング取付部４８は、第１付勢部材４５及び第２付勢部材４６の着脱を容易に行えるならばどのように形成してもよく、例えば、コの字状等の鉤状に形成されている。
【００３７】
第１付勢部材４５及び第２付勢部材４６は、引張る方向に付勢力を有する付勢手段で、ベース部材２に対してスライダー部材３を所定の開閉位置例えば中立状態から閉成方向又は開成方向にスライド付勢するもの、すなわち、２つの第３回動支持シャフト７１が近づく方向に付勢させるものである。第１付勢部材４５及び第２付勢部材４６としては、特に限定されないが、例えば、引張りコイルスプリング４９等であることが好ましい。引張りコイルスプリング４９の両端部には、スプリング取付部４８に着脱可能に取り付けるための取付部４９ａがそれぞれ設けられている。この取付部４９ａは、例えば、線材を略円形状や略円弧状等に折り曲げて形成されている。
【００３８】
引張りコイルスプリング４９は、第１スプリング取付部材４３間に３つ取り付けられていると共に、第２スプリング取付部材４４間に３つの合計６つ取り付けられている。これら引張りコイルスプリング４９は、閉成状態又は開成状態にある第１スプリング取付部材４３のスプリング取付部４８間及び第２スプリング取付部材４４のスプリング取付部４８間の長さと略同じ寸法で形成されていてもよいが、その長さより短い寸法、例えば、若干短い寸法で形成されていることが好ましい。これにより、引張りコイルスプリング４９は、閉成状態及び開成状態のときには付勢力に抗して伸びており、この付勢力によって閉成状態又は開成状態が保持されるようになっている。
【００３９】
次に本発明に係る開閉装置１及び携帯機器１０の作用を説明する。
【００４０】
携帯機器１０が使用されていない状態では、通常、第１筐体１１と第２筐体１２とが互いに重なり合った閉成状態である（図１（ａ）及び図２（ａ）参照。）。このとき、引張りコイルスプリング４９は、その付勢力に抗して伸びて２つの第３回動支持シャフト７１を互いに近づく方向に付勢すると共に、第１回動支持シャフト５１と第２回動支持シャフト６１とを離れる方向に付勢しているために、第２筐体１２が第１筐体１１と重なり合う方向に付勢され、かつ、ベース部材２のスライド範囲規制部２８ａにスライダー部材３のスライド範囲規制突部３８ａが当接しているので、第１筐体１１と第２筐体１２とは互いにほぼ完全に重なり合った閉成状態に保持されている。なお、この閉成状態をより確実に保持するために、ロック機構を設けるようにしてもよい。
【００４１】
この携帯機器１０の第１筐体１１に設置したキーボード部等の操作部１３を操作する場合には、例えば、第１筐体１１を一方の手で持って固定した状態で、もう一方の手で第２筐体１２をその長手方向の開成方向にスライドさせる。もちろんこの操作を片方の手だけで行うこともできる。このとき、引張りコイルスプリング４９の付勢力に抗して２つの第１リンク部材４１ａ、４１ｂ及び２つの第２リンク部材４２ａ、４２ｂはそれぞれ互いに離れる方向（開く方向）に第１回動支持シャフト５１及び第２回動支持シャフト６１を軸に回転する。すなわち、２つの第３回動支持シャフト７１が互いに離れる方向に移動すると共に、第２回動支持シャフト６１が第１回動支持シャフト５１と近づく方向に移動して、６つの引張りコイルスプリング４９のそれぞれの両端部間の長さがスライド幅に応じて徐々に長くなる。
【００４２】
このように、第１筐体１１に対して第２筐体１２をスライドさせると、引張りコイルスプリング４９が付勢力に抗して徐々に伸び、そして、図１（ｂ）及び図２（ｂ）に示したように、引張りコイルスプリング４９の両端部間の長さが最大になった状態が中立状態（図示例では中間状態）である。このとき、２つの第１リンク部材４１ａ、４１ｂ及び２つの第２リンク部材４２ａ、４２ｂは第１回動支持シャフト５１及び第２回動支持シャフト６１を軸に最大に開いた状態であり、かつ、第１回動支持シャフト５１と第２回動支持シャフト６１とが最も近づいた状態である。この中立状態を過ぎると、第１回動支持シャフト５１と第２回動支持シャフト６１との位置が前後に入れ替わり、引張りコイルスプリング４９の付勢力によって２つの第１リンク部材４１ａ、４１ｂ及び２つの第２リンク部材４２ａ、４２ｂがそれぞれ互いに近づく方向（閉じる方向）に移動すると共に２つの第３回動支持シャフト７１が互いに近づく方向に移動し、かつ、第２回動支持シャフト６１が第１回動支持シャフト５１と離れる方向に移動する、すなわち、ベース部材２に対してスライダー部材３が開成方向に自動的にスライド移動する。そして、スライダー部材３のスライド範囲規制突部３８ｂがベース部材２のスライド範囲規制部２８ｂに当接してその移動が停止することにより、第１筐体１１と第２筐体１２とが全開成状態になり、その状態に保持される（図１（ｃ）及び図２（ｃ）参照。）。これにより、第１筐体１１の上面に設けたキーボード部等の操作部１３が露出するので、キーボード操作等が可能となる。なお、この開成状態をより確実に保持するために、ロック機構を設けるようにしてもよい。よって、第１筐体１１と第２筐体１２が互いに重なり合っている閉成状態から開成状態にスライド移動させるときには、その中間状態から半自動（セミオート）でスライド動作を行えることになる。
【００４３】
次に、第１筐体１１に対して完全に開いた開成状態の第２筐体１２を閉成状態に戻すには、例えば、第１筐体１１を一方の手で持って固定した状態で第２筐体１２をもう一方の手で押して閉成方向にスライドさせる。もちろんこの操作は片方の手のみで行うことは可能である。すると、引張りコイルスプリング４９は最初はその付勢力に抗してさらに伸びると共に２つの第１リンク部材４１ａ、４１ｂ及び２つの第２リンク部材４２ａ、４２ｂがそれぞれ互いに第１回動支持シャフト５１及び第２回動支持シャフト６１を軸に回転して開いて行き、中立状態を過ぎると、２つの第１リンク部材４１ａ、４１ｂ及び２つの第２リンク部材４２ａ、４２ｂがそれぞれ引張りコイルスプリング４９の付勢力により閉じる方向に回転して、第３回動支持シャフト７１が互いに近づく方向に移動すると共に第１回動支持シャフト５１と第２回動支持シャフト６１とが互いに離間する方向に移動するので、第１筐体１１に対し第２筐体１２が閉成方向に自動的にスライド移動して閉成状態となる（図１（ａ）及び図２（ａ）参照。）。よって、第１筐体１１と第２筐体１２を開成状態から閉成状態にスライド移動させるときには、中立状態から半自動（セミオート）でスライド動作を行えることになる。尚、このセミオートによるスライド動作は、開成方向又は閉成方向の一方向のみであってもよい。
【００４４】
このようにセミオートによるスライド動作は、ベース部材２とスライダー部材３とをリンク機構４で連結しこのリンク機構４の引張りコイルスプリング４９の付勢力によって行われるので、確実にセミオートによるスライド動作を行える。すなわち、例えば、コンプレッションスプリングを用いてスライド動作させる場合には、コンプレッションスプリングがその付勢力によって撓むことによる付勢力を利用するために、スライドストロークが長くなるほど、コンプレッションスプリングが厚み方向へ振れることが考えられるが、引張りコイルスプリング４９を用いることにより、引張りコイルスプリング４９はスライド動作中においても略直線状で伸縮して常に引張り力しか作用しないので、コンプレッションスプリングに比して振れが少なく、引張りコイルスプリング４９の付勢力によって確実にセミオートによるスライド動作を行える。
【００４５】
また、引張りコイルスプリング４９の両端部は、第１リンク部材４１ａ、４１ｂ及び第２リンク部材４２ａ、４２ｂにそれぞれ回動可能に取り付けられている第１スプリング取付部材４３及び第２スプリング取付部材４４に取り付けられているために、スライド動作するときに第１リンク部材４１ａ、４１ｂ及び第２リンク部材４２ａ、４２ｂが回転してもこの回転に応じて第１リンク部材４１ａ、４１ｂ及び第２リンク部材４２ａ、４２ｂに対して第１スプリング取付部材４３及び第２スプリング取付部材４４が回転するので、ベース部材２に対するスライダー部材３のスライドをスムーズに行える。また、引張りコイルスプリング４９を複数例えば３つ並列してセミオートによるスライド動作を行うために、１つの引張りコイルスプリングを用いる場合に比して厚さを薄くすることができ、小型化を図れる。また、複数の引張りコイルスプリング４９を用いるために、スプリングの個数・配置箇所の変更や付勢力の異なるスプリングの変更を行うことができ、スプリングの調整を容易に行える。また、引張りコイルスプリング４９は、第１スプリング取付部材４３及び第２スプリング取付部材４４のコ字状等の鉤状に形成されているスプリング取付部４８に着脱可能に取り付けられているので、引張りコイルスプリング４９の着脱が容易であり、スプリングの個数・配置箇所の変更や付勢力の異なるスプリングの変更を簡単に行うことができ、スプリングの調整を一層容易に行える。
【００４６】
したがって、本発明に係る開閉装置１及び携帯機器１０は、ベース部材２に対するスライダー部材３のスライドをスムーズに行える上に小型化を図れ、かつ、スプリングの調整を容易に行えるものである。
【００４７】
また、リンク機構４のベース部材２及びスライダー部材３への取付を簡単に行うことができる。すなわち、例えば、ベース部材２の上面から第１回動支持シャフト５１の抜け止め部５６をベース部材２の挿入部２４に挿入して貫通させた後、この第１回動支持シャフト５１を第１係合孔２３へスライドすることにより、第１回動支持シャフト５１がベース部材２の第１係合孔２３に回動可能に取り付けられる。次に、このリンク機構４の第２回動支持シャフト６１の抜け止め部６６をスライダー部材３の下面からスライダー部材３の挿入部３４に挿入して貫通させた後、この第２回動支持シャフト６１を第２係合孔３３へスライドすることにより、第２回動支持シャフト６１がスライダー部材３の第２係合孔３３に回動可能に取り付けられる。従って、リンク機構４のベース部材２及びスライダー部材３への取付を簡単に行うことができる。
【００４８】
また、リンク機構４は、４つのリンク部材のうちの２つの対向するリンク部材（第１リンク部材４１ａと第２リンク部材４２ｂと）が略同一平面上に位置されると共に残りの２つの対向するリンク部材（第１リンク部材４１ｂと第２リンク部材４２ａと）が略同一平面上に位置される略ひし形に形成され、かつ、第１スプリング取付部材４３及び第２スプリング取付部材４４が、第１リンク部材４１ａ、４１ｂ及び第２リンク部材４２ａ、４２ｂがそれぞれ互いに重なり合う側の面側の第１リンク部材４１ａ、４１ｂ及び第２リンク部材４２ａ、４２ｂに取り付けられ、しかも、これら第１リンク部材４１ａ、４１ｂ及び第２リンク部材４２ａ、４２ｂには、３つの引張りコイルスプリング４９がそれぞれ並列されているので、厚さを一層薄くすることができ、小型化を一層図れることになる。
【産業上の利用可能性】
【００４９】
以上説明したように本発明に係る携帯機器の開閉装置は、リンク機構が、ベース部材に回動可能に取り付けられる２つの第１リンク部材と、この第１リンク部材にそれぞれ互いに回動可能に取り付けられると共にスライダー部材に回動可能に取り付けられる２つの第２リンク部材と、２つの第１リンク部材にそれぞれ回動可能に設けられた第１スプリング取付部材と、２つの第２リンク部材にそれぞれ回動可能に設けられた第２スプリング取付部材と、２つの第１スプリング取付部材に両端部がそれぞれ取り付けられ、２つの第１リンク部材を互いに近づく方向に付勢する複数並列された第１付勢部材と、２つの第２スプリング取付部材に両端部がそれぞれ取り付けられ、２つの第２リンク部材を互いに近づく方向に付勢する複数並列された第２付勢部材とで構成されたことで、ベース部材に対するスライダー部材のスライドをスムーズに行える上に小型化を図ることができることから、携帯端末の中でもとくに携帯電話機等として好適に用いられるものである。
【図面の簡単な説明】
【００５０】
【図１】本発明に係る携帯機器の一例を示す平面図で、（ａ）は閉成状態を示す図、（ｂ）は中立状態を示す図、（ｃ）は開成状態を示す図である。
【図２】本発明に係る携帯機器の開閉装置の一例を示す裏面図で、（ａ）は閉成状態を示す図、（ｂ）は中立状態を示す図、（ｃ）は開成状態を示す図である。
【図３】本発明に係る携帯機器の開閉装置の一例を示す斜視図である。
【図４】本発明に係る携帯機器の開閉装置の一例を示す図で、（ａ）は裏面図、（ｂ）は（ａ）中のＢ−Ｂ線の方向から見たスライド機構の拡大断面図である。
【図５】本発明に係るスライダー部材と第２リンク部材との連結状態の一例を示す斜視図である。
【図６】本発明に係る第１リンク部材と第２リンク部材との連結状態及びスプリング取付部材の取付状態の一例を示す斜視図である。
【図７】本発明に係る第１リンク部材と第２リンク部材との連結状態及びスプリング取付部材の取付状態の一例を示す斜視図である。
【図８】本発明に係るスプリング取付部材の一例を示す斜視図である。
【図９】本発明に係るスライド円滑部材の一例を示す斜視図である。
【図１０】本発明に係るベース部材の一例を示す斜視図である。
【図１１】本発明に係るスライダー部材の一例を示す斜視図である。
【図１２】本発明に係るリンク部材の一例を示す斜視図で、（ａ）は第１のリンク部材の一例を示す図、（ｂ）は第２のリンク部材の一例を示す図である。
【図１３】本発明に係る第１回動支持シャフト及び第２回動支持シャフトの一例を示す図で、（ａ）は斜視図、（ｂ）は側面図である。
【図１４】本発明に係る第３回動支持シャフトの一例を示す図で、（ａ）は斜視図、（ｂ）は側面図である。
【図１５】本発明に係る第４回動支持シャフトの一例を示す図で、（ａ）は斜視図、（ｂ）は側面図である。
【符号の説明】
【００５１】
Ａ  スライド機構
１  開閉装置
２  ベース部材
３  スライダー部材
４  リンク機構
１０  携帯機器
１１  第１筐体
１２  第２筐体
２３  第１係合孔（第１係合部）
２４  挿入部
３３  第１係合孔（第１係合部）
３４  挿入部
４１ａ、４１ｂ  第１リンク部材
４２ａ、４２ｂ  第２リンク部材
４３  第１スプリング取付部材
４４  第２スプリング取付部材
４５  第１付勢部材
４６  第２付勢部材
４８  スプリング取付部
４９  引張りコイルスプリング
５１  第１回動支持シャフト
６１  第２回動支持シャフト
７１  第３回動支持シャフト
【図１】
0005102688.tif 000002
【図２】
0005102688.tif 000003
【図３】
0005102688.tif 000004
【図４】
0005102688.tif 000005
【図５】
0005102688.tif 000006
【図６】
0005102688.tif 000007
【図７】
0005102688.tif 000008
【図８】
0005102688.tif 000009
【図９】
0005102688.tif 000010
【図１０】
0005102688.tif 000011
【図１１】
0005102688.tif 000012
【図１２】
0005102688.tif 000013
【図１３】
0005102688.tif 000014
【図１４】
0005102688.tif 000015
【図１５】
0005102688.tif 000016